(57)【要約】【課題】デザイン性と操作性とを両立させることができる水栓装置を提供する。【解決手段】本発明の水栓装置１は、壁面６から引き出し可能な吐水ヘッド１４と、給水用のホース２４と、壁面から前方に突出して設けられた棚部１２と、この棚部内に設けられ、吐水ヘッドの上方及び前方の少なくとも一部を覆うように吐水ヘッドを収納する収納部Ｓと、吐水ヘッドを収納部に収納された収納位置で保持可能な保持装置２０と、保持装置による吐水ヘッドの保持を解除操作する解除操作部３４と、を有し、吐水ヘッドは、収納位置Ｐ１の吐水ヘッドを壁面から引き出す前の準備として、解除操作部の操作により、収納部の収納位置からその下方の引出可能位置Ｐ２まで移動可能である。【選択図】図２
2019148062.tif 000002
【特許請求の範囲】
【請求項１】
ボウルよりも上方に立ち上がる壁面に設けられる水栓装置であって、
洗浄水を吐水する吐水口が形成され、上記壁面から引き出し可能な吐水ヘッドと、
一端が上記壁面の裏側で給水源に接続されていると共に、他端が上記壁面の開口を介して上記吐水ヘッドに接続されて上記吐水ヘッドと共に引き出し可能な給水用のホースと、
上記壁面から前方に突出して設けられた棚部と、
上記棚部内に設けられ、上記吐水ヘッドの上方及び前方の少なくとも一部を覆うように上記吐水ヘッドを収納する収納部と、
上記吐水ヘッドを上記収納部に収納された収納位置で保持可能な保持装置と、
上記保持装置による上記吐水ヘッドの保持を解除操作する解除操作部と、を有し、
上記吐水ヘッドは、上記収納位置の吐水ヘッドを上記壁面から引き出す前の準備として、上記解除操作部の操作により、上記収納部の収納位置からその下方の引き出し可能な位置まで移動可能であることを特徴とする水栓装置。
【請求項２】
上記保持装置は、少なくとも上記収納位置の上記吐水ヘッドを鉛直方向に保持するものであり、さらに、上記引き出し可能な位置の上記吐水ヘッドの下方への移動を抑制する移動抑制部を備えている請求項１記載の水栓装置。
【請求項３】
上記保持装置は、上記吐水ヘッドを上記収納位置から上記引き出し可能位置まで下方に傾斜可能に支持する支持部材を備え、
上記解除操作部は、上記吐水ヘッドの左右方向の一方又は他方の側面の近傍に設けられて上記支持部材の係合部と係合解除可能に係合するラッチ機構部を備えており、
このラッチ機構部は、上記収納位置の吐水ヘッドを上記壁面から引き出す前の準備として、上記支持部材を上方に押圧操作することにより上記支持部材の係合部との係合を解除可能にする請求項１又は２に記載の水栓装置。
【請求項４】
上記保持装置は、上記棚部に対してほぼ水平方向に摺動可能に設けられて上記棚部の側面側の一端部から上記吐水ヘッド付近の他端部まで延びて上記吐水ヘッドを支持する支持部材を備え、
上記解除操作部は、上記支持部材の一端部に設けられて上記棚部の側方からの上記支持部材の摺動操作を可能にする操作入力部と、上記支持部材の他端部に設けられて上記吐水ヘッドを係止解除可能に係止する係止部と、を備えており、上記収納位置の吐水ヘッドを上記壁面から引き出す前の準備として、上記操作入力部により上記棚部の側方から上記支持部材が摺動操作されると、上記収納位置の上記吐水ヘッドと上記係止部との係止が解除されるように構成されている請求項１又は２に記載の水栓装置。
【請求項５】
上記解除操作部は、上記吐水ヘッドの上方又はその近傍の上記棚部のいずれかの一方に設けられた第１係合部を含むラッチ機構部を備えており、
このラッチ機構部の第１係合部は、上記吐水ヘッドの上方又はその近傍の上記棚部のいずれかの他方に設けられた第２係合部に係合解除可能であり、上記収納位置の吐水ヘッドを上記壁面から引き出す前の準備として、上記吐水ヘッドを介して上記ラッチ機構部を上方に押圧操作することにより上記第１係合部と上記第２係合部との係合が解除可能である請求項１又は２に記載の水栓装置。
【請求項６】
請求項１乃至５の何れか１項に記載の水栓装置と、この水栓装置の吐水ヘッドから吐水されるボウルと、を備えた洗面化粧台。
【発明の詳細な説明】
【技術分野】
【０００１】
本発明は、水栓装置、及び、それを備えた洗面化粧台に関し、特に、ボウルよりも上方に立ち上がる壁面に設けられる水栓装置、及び、それを備えた洗面化粧台に関する。
【背景技術】
【０００２】
従来から、ボウルよりも上方に立ち上がる壁面に設けられる水栓装置及びそれを備えた洗面化粧台として、例えば、特許文献１に記載されているように、壁面から前方に突出して形成される棚部と、この棚部の下方に設けられ、吐水部の上方及び前方の少なくとも一部を覆うように収納する収納部と、を備えた水栓装置が知られている。
このような水栓装置は、吐水部の全体が使用者から見えず、さらにデザイン性がよい。  また、棚部の上面に小物を置くことができるため、例えば、洗顔の際などに、使用者が眼鏡や化粧品等の小物を置く、いわゆる「ちょい置き動作」を、棚部の上面を使って行うことができ、使用者の使い勝手がよい。
しかしながら、上述した特許文献１に記載されている従来の水栓装置においては、吐水部が、収納部に収容された状態で固定されており、吐水口から吐水される水道水の向きを変えることができないため、使用者がボウルを清掃する際に、清掃性が悪いという問題があった。
そこで、特許文献２に記載された従来の水栓装置のように、吐水部（吐水ヘッド）を引き出し操作可能にする、いわゆる、「プルアウト式の水栓装置」とすることにより、ボウルの清掃性を向上させることが可能になるものと考えられる。
【先行技術文献】
【特許文献】
【０００３】
【特許文献１】特開２００３−１８４１３９号公報
【特許文献２】特開２０１６−１４２００６号公報
【発明の概要】
【発明が解決しようとする課題】
【０００４】
また、上述した特許文献２に記載されているような従来のプルアウト式の水栓装置について、洗面化粧台の棚部等に設ける場合には、使用者が吐水ヘッドの引き出し操作を行うための操作スペースを棚部の周辺に確保する必要があったり、使用者が吐水ヘッドを掴んだ状態で操作がし易いように、使用者用の掴み部として、棚部よりも下方に突出した部分等を設けたりする必要がある。
しかしながら、これらの棚部や吐水ヘッド等に突出した部分を設ける場合、デザイン性を向上させるためには、このような突出した部分を可能な限り小さく設計することが好ましいという問題がある。その一方で、使用者が吐水ヘッドを掴み易く、操作性を向上させるためには、このような突出部分は可能な限り大きく設計することが好ましいという問題もある。
【０００５】
そこで、本発明は、上述した従来技術の問題を解決するためになされたものであり、デザイン性と操作性とを両立させることができる水栓装置、及び、それを備えた洗面化粧台を提供することを目的としている。
【課題を解決するための手段】
【０００６】
上述した課題を解決するために、本発明はボウルよりも上方に立ち上がる壁面に設けられる水栓装置であって、洗浄水を吐水する吐水口が形成され、上記壁面から引き出し可能な吐水ヘッドと、一端が上記壁面の裏側で給水源に接続されていると共に、他端が上記壁面の開口を介して上記吐水ヘッドに接続されて上記吐水ヘッドと共に引き出し可能な給水用のホースと、上記壁面から前方に突出して設けられた棚部と、上記棚部内に設けられ、上記吐水ヘッドの上方及び前方の少なくとも一部を覆うように上記吐水ヘッドを収納する収納部と、上記吐水ヘッドを上記収納部に収納された収納位置で保持可能な保持装置と、上記保持装置による上記吐水ヘッドの保持を解除操作する解除操作部と、を有し、上記吐水ヘッドは、上記収納位置の吐水ヘッドを上記壁面から引き出す前の準備として、上記解除操作部の操作により、上記収納部の収納位置からその下方の引き出し可能な位置まで移動可能であることを特徴としている。
このように構成された本発明においては、収納部の収納位置に収納された吐水ヘッドを壁面から引き出す前の準備を行う際には、解除操作部の操作により、吐水ヘッドを収納位置からその下方の引き出し可能な位置まで移動させることができる。
したがって、吐水ヘッドが収納部の収納位置に収納された状態では、棚部に対する吐水ヘッドの突出量を抑制することができるため、デザイン性を向上させることができる。
また、収納位置の吐水ヘッドを壁面から引き出す操作を行う際には、吐水ヘッドを引き出し可能な位置に移動させて、棚部に対する吐水ヘッドの突出量を大きくすることができるため、引き出し操作時の吐水ヘッドを掴み易くすることができる。
したがって、引き出し操作時の吐水ヘッドを引き出し可能な位置から引き出す際には、吐水ヘッドが棚部に接触する等の干渉を抑制することができると共に、吐水ヘッドをスムーズに安定して引き出すことができるため、吐水ヘッドの引き出し時の操作性を向上させることができる。
これらの結果、デザイン性と操作性とを両立させることができる水栓装置を提供することができる。
【０００７】
本発明において、好ましくは、上記保持装置は、少なくとも上記収納位置の上記吐水ヘッドを鉛直方向に保持するものであり、さらに、上記引き出し可能な位置の上記吐水ヘッドの下方への移動を抑制する移動抑制部を備えている。
このように構成された本発明においては、保持装置が少なくとも収納位置の吐水ヘッドを鉛直方向に保持しているため、収納位置の吐水ヘッドは、保持装置による吐水ヘッドの保持が解除操作部の操作により解除されると、吐水ヘッド自体の自重により下方の引き出し可能な位置まで移動することができる。
したがって、収納位置の吐水ヘッドを引き出し可能な位置まで移動させる自重以外の手段や特別な機構を設ける必要がないため、収納部の収納位置に収納された吐水ヘッドを壁面から引き出す前の準備の際に、簡易な構造によって吐水ヘッドを収納位置から引き出し可能な位置まで容易に移動させることができ、引き出し操作時の吐水ヘッドを掴み易くすることもできる。
さらに、保持装置が、引き出し可能な位置の吐水ヘッドの下方への移動を抑制する移動抑制部を備えているため、吐水ヘッドが自重により引き出し可能な位置よりも下方に過度に移動しすぎることを抑制することができる。
したがって、吐水ヘッドが自重により引き出し可能な位置よりも下方に過度に移動してボウルに衝突してしまう事態を抑制することができるため、吐水ヘッドとボウルとが互いに衝突することにより少なくともいずれか一方が破損してしまうリスクを低減させることができる。
【０００８】
本発明において、好ましくは、上記保持装置は、上記吐水ヘッドを上記収納位置から上記引き出し可能位置まで下方に傾斜可能に支持する支持部材を備え、上記解除操作部は、上記吐水ヘッドの左右方向の一方又は他方の側面の近傍に設けられて上記支持部材の係合部と係合解除可能に係合するラッチ機構部を備えており、このラッチ機構部は、上記収納位置の吐水ヘッドを上記壁面から引き出す前の準備として、上記支持部材を上方に押圧操作することにより上記支持部材の係合部との係合を解除可能にする。
このように構成された本発明においては、保持装置による吐水ヘッドの保持を解除操作する解除操作部として、吐水ヘッドの左右方向の一方又は他方の側面の近傍にラッチ機構部が設けられているため、収納位置の吐水ヘッドを壁面から引き出す前の準備を行う際には、保持装置の支持部材を上方に押圧操作することによりラッチ機構部と支持部材の係合部との係合を容易に解除することができる。
これにより、収納位置の吐水ヘッドを引き出し可能な位置に容易に移動させることができるため、解除操作部の操作性を向上させることができる。
また、収納位置の吐水ヘッドの上方にラッチ機構部が設けられた場合に比べて、吐水ヘッドや棚部の上下方向の厚みを抑制することができるため、水栓装置全体の厚みも抑制することができ、デザイン性を向上させることができる。
【０００９】
本発明において、好ましくは、上記保持装置は、上記棚部に対してほぼ水平方向に摺動可能に設けられて上記棚部の側面側の一端部から上記吐水ヘッド付近の他端部まで延びて上記吐水ヘッドを支持する支持部材を備え、上記解除操作部は、上記支持部材の一端部に設けられて上記棚部の側方からの上記支持部材の摺動操作を可能にする操作入力部と、上記支持部材の他端部に設けられて上記吐水ヘッドを係止解除可能に係止する係止部と、を備えており、上記収納位置の吐水ヘッドを上記壁面から引き出す前の準備として、上記操作入力部により上記棚部の側方から上記支持部材が摺動操作されると、上記収納位置の上記吐水ヘッドと上記係止部との係止が解除されるように構成されている。
このように構成された本発明においては、保持装置による吐水ヘッドの保持を解除操作する解除操作部として、保持装置の支持部材の一端部及び他端部のそれぞれに操作入力部及び係止部がそれぞれ設けられているため、収納位置の吐水ヘッドを壁面から引き出す前の準備を行う際には、操作入力部により棚部の側方から支持部材を容易に摺動操作することができ、収納位置の吐水ヘッドと支持部材の係止部との係止を容易に解除することができる。
これにより、収納位置の吐水ヘッドを引き出し可能な位置に容易に移動させることができるため、解除操作部の操作性を向上させることができる。
また、解除操作部の操作入力部について、吐水ヘッドから離間した棚部の側方から吐水ヘッドの保持を解除操作することができるため、吐水ヘッドの吐水口付近で手を濡らすことなく、収納位置の吐水ヘッドを引き出し可能な位置に容易に移動させることができ、使い勝手が良い。
さらに、解除操作部の操作入力部が棚部の側方に配置されることにより、棚部の正面側からは見え難い構造にすることができるため、デザイン性を向上させることができる。
【００１０】
本発明において、好ましくは、上記解除操作部は、上記吐水ヘッドの上方又はその近傍の上記棚部のいずれかの一方に設けられた第１係合部を含むラッチ機構部を備えており、このラッチ機構部の第１係合部は、上記吐水ヘッドの上方又はその近傍の上記棚部のいずれかの他方に設けられた第２係合部に係合解除可能であり、上記収納位置の吐水ヘッドを上記壁面から引き出す前の準備として、上記吐水ヘッドを介して上記ラッチ機構部を上方に押圧操作することにより上記第１係合部と上記第２係合部との係合が解除可能である。
このように構成された本発明においては、収納位置の吐水ヘッドを壁面から引き出す前の準備を行う際には、吐水ヘッド自体を上方に押圧操作することにより、吐水ヘッドの上方又はその近傍の棚部のいずれかの一方のラッチ機構部の第１係合部といずれかの他方の第２係合部との係合を容易に解除することができる。
これにより、吐水ヘッドがその自重により収納位置からその下方の引出可能位置まで移動することができ、その後、吐水ヘッドの前方への引出操作が可能となるため、操作性を向上させることができる。
また、吐水ヘッド又は棚部に対して別途の解除操作部を設ける必要がなく、水栓装置全体の構造を簡易化することができるため、デザイン性を向上させることができる。
【００１１】
また、本発明は、本発明の水栓装置と、この水栓装置の吐水ヘッドから吐水されるボウルと、を備えた洗面化粧台である。
このように構成された本発明においては、デザイン性と操作性とを両立させることができる水栓装置を備えた洗面化粧台を提供することができる。
【発明の効果】
【００１２】
本発明の水栓装置、及び、それを備えた洗面化粧台によれば、デザイン性と操作性とを両立させることができる。
【図面の簡単な説明】
【００１３】
【図１】本発明の第１実施形態による水栓装置を備えた洗面化粧台の概略斜視図である。
【図２】本発明の第１実施形態による水栓装置の概略斜視図であり、棚部の上面を一部破断した状態を示す。
【図３】本発明の第１実施形態による水栓装置における吐水ヘッド及び吐水ヘッド保持／解除装置を示す概略斜視図である。
【図４】図２のＩＶ−ＩＶ線に沿った断面図である。
【図５Ａ】図４のＡ部拡大した図であり、本発明の第２実施形態による水栓装置において、吐水ヘッド保持／解除装置により吐水ヘッドが保持された状態を示す。
【図５Ｂ】図４のＡ部拡大図であり、本発明の第２実施形態による水栓装置において、吐水ヘッド保持／解除装置により吐水ヘッドの保持が解除された状態を示す。
【図６】本発明の第２実施形態による水栓装置の中央側面断面図であり、吐水ヘッド保持／解除装置により吐水ヘッドの保持が解除された状態を示す。
【図７】本発明の第２実施形態による水栓装置の概略正面図である。
【図８】本発明の第２実施形態による水栓装置の分解斜視図である。
【図９】本発明の第２実施形態による水栓装置において棚部の収納位置に収納された状態の吐水ヘッド部分を拡大した斜視図である。
【図１０Ａ】図７のＸＡ−ＸＡ線に沿った断面図であり、本発明の第２実施形態による水栓装置の吐水ヘッドが棚部の収納位置に収納された状態を示す。
【図１０Ｂ】図１０Ａと同様な断面図であり、本発明の第２実施形態による水栓装置の吐水ヘッドが引出可能位置に移動された状態を示す。
【図１０Ｃ】図１０Ａ及び図１０Ｂと同様な断面図であり、本発明の第２実施形態による水栓装置の吐水ヘッドが引出可能位置から引き出された状態を示す。
【図１１】本発明の第２実施形態による水栓装置におけるラッチ機構部を拡大した拡大図である。
【図１２】本発明の第３実施形態による水栓装置の中央側面断面図であり、吐水ヘッドが棚部の収納位置に収納された状態を示す。
【図１３】本発明の第３実施形態による水栓装置の中央側面断面図であり、吐水ヘッドが引出可能位置に移動された状態を示す。
【発明を実施するための形態】
【００１４】
以下、添付図面を参照して、本発明の第１実施形態による水栓装置、及び、それを備えた洗面化粧台について説明する。
まず、図１は、本発明の第１実施形態による水栓装置を備えた洗面化粧台の概略斜視図である。
図１に示すように、本発明の第１実施形態による水栓装置１は、洗面化粧台２のボウル４から上方に立ち上がる壁面６に設けられている。
洗面化粧台２は、ボウル４と、このボウル４の下方に設けられた下部キャビネット８と、水栓装置１の上方に配置された上部キャビネット１０と、を備えている。
なお、下部キャビネット８の内部には、水道水の吐水、停止を切り換える電磁弁（図示せず）等の機器が収納されている。また、上部キャビネット１０の前面には、鏡が取り付けられている。
また、図１に示すように、水栓装置１は、洗面化粧台２の壁面６に設けられた棚部１２を備えている。
ここで、本実施形態の水栓装置１では、洗面化粧台２のボウル４から上方に立ち上がる壁面６として、図１に示すように、ボウル４の後壁面から一体的に上方に立ち上がる壁面（ボウル４と一体型の壁面）に適用した形態について説明するが、このような形態に限られず、ボウル４の後部且つ上方に別体で設けられたパネル等の壁面に適用した形態であってもよい。要するに、ボウル４よりも上方に立ち上がる壁面であれば、ボウル４に対して一体的に形成された壁面であってもよいし、別体で設けられた壁面であってもよい。
【００１５】
つぎに、図２は、本発明の第１実施形態による水栓装置の概略斜視図であり、棚部の上面を一部破断した状態を示す。
図２に示すように、水栓装置１は、棚部１２、吐水ヘッド１４、操作ハンドル１６、タッチスイッチ１８、及び、詳細は後述する吐水ヘッド保持／解除装置２０等を備えている。
まず、図１及び図２に示すように、棚部１２は、壁面６の上下方向のほぼ中間位置に設けられている。そして、棚部１２は、壁面６から前方に突出し、正面側から見て上下方向の幅（縦幅）よりも左右方向の幅（横幅）が長い概ね扁平の直方体形状に形成されている。
また、図１及び図２に示すように、棚部１２の上面は平面状に形成されている。これにより、例えば、使用者がボウル４内で洗顔動作等の際に、身に着けている眼鏡や腕時計、化粧品等の小物を棚部１２の上面に置くことができるようになっている。
【００１６】
つぎに、図２に示すように、吐水ヘッド１４は、棚部１２の内部の左右中央付近に設けられた収納部（収納スペースＳ）内の所定の収納位置Ｐ１に着脱可能に収納されており、棚部１２に対して引き出した状態で使用可能な、いわゆる、「プルアウト式のスパウト（吐水ヘッド）」として機能するようになっている。
なお、図２に示す水栓装置１においては、吐水ヘッド１４が収納スペースＳ内の収納位置Ｐ１にある引き出し前の状態を示している。
また、本実施形態の水栓装置１においては、詳細は後述する吐水ヘッド保持／解除装置２０が収納位置Ｐ１の吐水ヘッド１４を保持することができると共に、吐水ヘッド１４の保持状態を解除することもできるようになっている。
これにより、吐水ヘッド１４が収納位置Ｐ１に収納されている状態において、吐水ヘッド１４を壁面６から引き出す前の準備として、吐水ヘッド保持／解除装置２０について所定の手動操作（詳細は後述する）を行うことにより、吐水ヘッド１４の保持状態を解除することができ、吐水ヘッド１４が引き出し可能な位置（引出可能位置Ｐ２）まで移動可能になっている。
【００１７】
また、図２に示すように、吐水ヘッド１４は、その前端且つ下端に吐水口２２が設けられている。
一方、図２に示すように、吐水ヘッド１４の内部の後方側は、壁面６の開口６ａを介して給水用のホース２４の一端が接続されており、このホース２４の他端は、壁面６の裏側で水道や給湯器等の給水源（図示せず）に接続されている。
これらにより、給水源（図示せず）からホース２４を経て吐水ヘッド１４の吐水口２２に供給された水道水は、吐水口２２によりボウル４に向けて吐水され、ボウル４内で洗面や手洗い等に使用されるようになっている。
【００１８】
つぎに、図２に示すように、操作ハンドル１６は、棚部１２に内蔵された流調・温調バルブ２６に連結されている。この操作ハンドル１６について、前後方向に操作することにより吐水ヘッド１４から吐出される湯水の流量を調整することができると共に、左右方向に操作することにより湯水の温度を調整することができるようになっている。これにより、操作ハンドル１６は、いわゆる、「シングルレバー水栓」の「シングルレバー（操作レバー）」として機能することができるようになっている。
【００１９】
つぎに、図２に示すように、複数のタッチスイッチ１８（１８ａ，１８ｂ，１８ｃ）は、棚部１２の前面に設けられており、例えば、吐水ヘッド１４が棚部１２から引き出されている状態において、特定のタッチスイッチ１８ａを手動で操作することにより、流調・温調バルブ２６等の各種機能部を操作することができ、吐水ヘッド１４を吐水状態又は止水状態のいずれかの状態に切り換え操作が可能となっている。
なお、タッチスイッチ１８ａ，１８ｂ，１８ｃが操作可能とする各種機能部としては、棚部１２に内蔵されている流調・温調バルブ２６以外の機能部であってもよく、例えば、自動水栓の自動モードと手動モードを切り替えるための機能部であってもよいし、水道水を電気分解して得られる電解水等の除菌作用を有する機能水を吐出するための機能部であってもよい。或いは、鏡が取り付けられた上部キャビネット１０に設けられたＬＥＤ照明等の洗面化粧台２の付属機器（図示せず）等に関連する機能部であってもよい。
【００２０】
また、図２に示すように、本実施形態では、具体的な説明は省略するが、棚部１２の前面下方の一部には、人体検知センサ２８が設けられており、吐水ヘッド１４の吐水口２２の下方付近に接近する手指等の被検知物の有無を検知することができるようになっている。これにより、棚部１２に内蔵されるコントローラ（図示せず）が、人体検知センサ２８から受信した信号に基づいて吐水ヘッド１４の吐水口２２における自動吐水を制御することができるようになっている。
【００２１】
つぎに、図２〜図６を参照して、本実施形態の水栓装置１の吐水ヘッド１４、及び、吐水ヘッド保持／解除装置２０等の構造について具体的に説明する。
まず、図３は、本発明の第１実施形態による水栓装置における吐水ヘッド及び吐水ヘッド保持／解除装置を示す概略斜視図である。
つぎに、図４は、図２のＩＶ−ＩＶ線に沿った断面図である。
また、図５Ａは、図４のＡ部拡大した図であり、本発明の第２実施形態による水栓装置において、吐水ヘッド保持／解除装置により吐水ヘッドが保持された状態を示す。
さらに、図５Ｂは、図４のＡ部拡大図であり、本発明の第２実施形態による水栓装置において、吐水ヘッド保持／解除装置により吐水ヘッドの保持が解除された状態を示す。
また、図６は、本発明の第２実施形態による水栓装置の中央側面断面図であり、吐水ヘッド保持／解除装置により吐水ヘッドの保持が解除された状態を示す。
【００２２】
まず、図２〜図６に示すように、吐水ヘッド保持／解除装置２０は、収納位置Ｐ１の吐水ヘッド１４の上方を支持する細長い棒状の支持部材３０を備えており、さらに、この支持部材３０を付勢する圧縮コイルばね３２を備えている。
また、図２〜図６に示すように、支持部材３０において、正面側から見て右側の一端部には、正面側から見て左方向Ｌに手動で押圧操作が可能な操作入力部（押圧操作部３４）が設けられている。
さらに、図２〜図５に示すように、圧縮コイルばね３２は、支持部材３０の正面側から見て左側の他端部と棚部１２の一部との間に設けられており、支持部材３０の他端部に対して常時右方向Ｒの付勢力Ｆ１で付勢している。
【００２３】
つぎに、図５Ａ及び図５Ｂに示すように、吐水ヘッド１４の上方に位置する支持部材３０の一端部側の下面には、正面視でＬ字形形状に形成される２つの係止部（係止用の鉤爪部３６，３８）が互いに左右方向に所定間隔で設けられている。
また、図５Ａ及び図５Ｂに示すように、吐水ヘッド１４の上端面の左右両側には、一対の係止受け部４０，４２がそれぞれ設けられており、各係止受け部４０，４２は、支持部材５０の各係止部（係止用の鉤爪部３６，３８）により係止解除可能に係止されるようになっている。
【００２４】
ちなみに、図５Ａに示すように、初期位置Ｑ１の支持部材３０の各鉤爪部３６，３８においては、収納位置Ｐ１の吐水ヘッド１４の各係止受け部４０，４２を係止することができるようになっている。
一方、図５Ｂ及び図６に示すように、解除位置Ｑ２の支持部材３０の各鉤爪部３６，３８においては、収納位置Ｐ１の吐水ヘッド１４の各係止受け部４０，４２との係止を解除することができるようになっている。
また、図５Ａ、図５Ｂ及び図６に示すように、棚部１２の収納スペースＳの下方は、吐水ヘッド１４を収納位置Ｐ１から取り出し可能に開放されている。
【００２５】
例えば、収納位置Ｐ１の吐水ヘッド１４を壁面６から引き出す前の準備において、図４及び図５Ａに示すように、初期位置Ｑ１の押圧操作部３４について、手動の押圧操作により付勢力Ｆ１を上回る左方向Ｌの押圧力Ｆ２（＞Ｆ１）で押圧した場合には、支持部材３０を棚部１２及び吐水ヘッド１４に対して所定の解除位置Ｑ２（図５Ｂ参照）まで左方向Ｌに摺動させることができるようになっている。
これにより、図５Ｂに示すように、支持部材３０の各係止部（係止用の鉤爪部３６，３８）と収納位置Ｐ１の吐水ヘッド１４の各係止受け部４０，４２との係止が解除されることにより、吐水ヘッド１４の保持の解除操作が行われ、収納位置Ｐ１の吐水ヘッド１４が引出可能位置Ｐ２まで移動可能となっている。
【００２６】
その後、図５Ｂに示す解除位置Ｑ２の操作部３４について、押圧力Ｆ２が解放されると（Ｆ２＝０）、圧縮コイルばね３２の右方向Ｒの付勢力Ｆ１により、支持部材３０が棚部１２及び吐水ヘッド１４に対して右方向Ｒに摺動することができ、初期位置Ｑ１（図５Ａ参照）に復帰することができるようになっている。
また、引出可能位置Ｐ２の吐水ヘッド１４を初期位置Ｐ１に復帰させる場合には、引出可能位置Ｐ２の吐水ヘッド１４を初期位置Ｐ１まで手動で上昇させることにより、再び、図５Ａに示すように、収納位置Ｐ１の吐水ヘッド１４の各係止受け部４０，４２が支持部材３０の各係止用の鉤爪部３６，３８を下方から係合するようになっている。これにより、収納位置Ｐ１の吐水ヘッド１４の各係止受け部４０，４２が、圧縮コイルばね３２の付勢力Ｆ１により付勢された支持部材３０の各係止用の鉤爪部３６，３８によって係止されるようになっている。
なお、本実施形態では、支持部材３０の各係止用の鉤爪部３６，３８（係り側）と吐水ヘッド１４の各係止受け部４０，４２（受け側）との互いの係止構造について、一方の支持部材３０側を係り側、他方の吐水ヘッド１４側を受け側とする形態について説明したが、両者を入れ替えて、支持部材３０側を受け側、吐水ヘッド１４側を係り側とするような形態であってもよい。
【００２７】
つぎに、図６に示すように、吐水ヘッド保持／解除装置２０は、さらに、壁面６の開口６ａに挿入された状態で固定された固定部材４４を備えている。この固定部材４４は、概ね円筒形状の部材であり、その内周側は、ホース２４を摺動可能に保持するホースガイド面４４ａを形成している。
また、図６に示すように、固定部材４４のホースガイド面４４ａは、吐水ヘッド１４の引き出し操作時には、ホース２４が吐水ヘッド１４と共に摺動可能にする程度の摩擦面となっている。このような摩擦面であるホースガイド面４４ａは、引出可能位置Ｐ２の吐水ヘッド１４が自重Ｆ３によりさらに引出可能位置Ｐ２よりも下方に脱落しないように、吐水ヘッド１４の下方への移動を抑制する移動抑制部として機能するようにもなっている。
【００２８】
つぎに、図１〜図６を参照して、上述した本発明の第１実施形態による水栓装置１における作用について説明する。
まず、本発明の第１実施形態による水栓装置１によれば、棚部１２の収納部（収納スペースＳ）の収納位置Ｐ１（図２、図４、図５Ａ参照）に収納された吐水ヘッド１４を壁面６から引き出す前の準備を行う際には、吐水ヘッド保持／解除装置２０の押圧操作部３４について、押圧力Ｆ２（図５Ｂ参照）の押圧操作を手動で行うことにより、吐水ヘッド１４を収納位置Ｐ１からその下方の引出可能位置Ｐ２（図５Ｂ、図６参照）まで移動させることができる。
したがって、図２に示すように、吐水ヘッド１４が収納スペースＳの収納位置Ｐ１に収納された状態では、正面側から見た棚部１２に対する吐水ヘッド１４の突出量Ｈ１［ｍｍ］（図６参照）を抑制することができるため、デザイン性を向上させることができる。
また、収納位置Ｐ１の吐水ヘッド１４を壁面６から引き出す操作を行う際には、図６に示すように、吐水ヘッド１４を引出可能位置Ｐ２に移動させて、正面側から見た棚部１２に対する吐水ヘッド１４の突出量Ｈ２［ｍｍ］（＞Ｈ１）（図６参照）を大きくすることができるため、引き出し操作時の吐水ヘッド１４を掴み易くすることができる。
したがって、引き出し操作時の吐水ヘッド１４を引出可能位置Ｐ２から引き出す際には、吐水ヘッド１４が棚部１２に接触する等の干渉を抑制することができると共に、吐水ヘッド１４をスムーズに安定して引き出すことができるため、吐水ヘッド１４の引き出し時の操作性を向上させることができる。
これらの結果、デザイン性と操作性とを両立させることができる水栓装置１を提供することができる。
【００２９】
また、本実施形態による水栓装置１によれば、吐水ヘッド保持／解除装置２０が少なくとも収納位置Ｐ１の吐水ヘッド１４を鉛直方向に保持しているため、収納位置Ｐ１の吐水ヘッド１４は、吐水ヘッド保持／解除装置２０による吐水ヘッド１４の保持が押圧操作部３４の押圧操作により解除されると、吐水ヘッド１４自体の自重Ｆ３により下方の引き出し可能な位置Ｐ２まで移動することができる。
したがって、収納位置Ｐ１の吐水ヘッド１４を引出可能位置Ｐ２まで移動させる自重Ｆ３以外の手段や特別な機構を設ける必要がない。
よって、図６に示すように、収納スペースＳの収納位置Ｐ１に収納された吐水ヘッド１４を壁面６から引き出す前の準備の際には、簡易な構造によって吐水ヘッド１４を収納位置Ｐ１から引出可能位置Ｐ２まで容易に移動させることができ、引き出し操作時の吐水ヘッド１４を掴み易くすることもできる。
さらに、図６に示すように、吐水ヘッド保持／解除装置２０が、引出可能位置Ｐ２の吐水ヘッド１４の下方への移動を抑制する移動抑制部として、固定部材４４及びそのホースガイド面４４ａを備えている。これにより、吐水ヘッド１４が自重により引出可能位置Ｐ２よりも下方に過度に移動しすぎることを抑制することができる。
したがって、吐水ヘッド１４が自重により引出可能位置Ｐ２よりも下方に過度に移動してボウル４に衝突してしまう事態を抑制することができる。よって、吐水ヘッド１４とボウル４とが互いに衝突することにより少なくともいずれか一方が破損してしまうリスクを低減させることができる。
【００３０】
さらに、本実施形態による水栓装置１によれば、吐水ヘッド保持／解除装置２０による吐水ヘッド１４の保持を解除操作する解除操作部として、支持部材３０の一端部及び他端部のそれぞれに操作入力部（押圧操作部３４）及び係止部（係止用の鉤爪部３６，３８）がそれぞれ設けられている。これにより、収納位置Ｐ１の吐水ヘッド１４を壁面６から引き出す前の準備を行う際には、押圧操作部３４の押圧操作により棚部１２の側方から支持部材３０を容易に摺動操作することができ、収納位置Ｐ１の吐水ヘッド１４の各係止受け部４０，４２と支持部材３０の各鉤爪部３６，３８との係止を容易に解除することができる。
これにより、収納位置Ｐ１の吐水ヘッド１４を引出可能位置Ｐ２に容易に移動させることができるため、吐水ヘッド１４の保持の解除操作性を向上させることができる。
また、吐水ヘッド保持／解除装置２０の押圧操作部３４により、吐水ヘッド１４から離間した棚部１２の側方から吐水ヘッド１４の保持を解除操作することができるため、吐水ヘッド１４の吐水口２２付近で手を濡らすことなく、収納位置Ｐ１の吐水ヘッド１４を引出可能位置Ｐ２に容易に移動させることができ、使い勝手が良い。
さらに、吐水ヘッド保持／解除装置２０の押圧操作部３４が棚部１２の側方に配置されることにより、棚部１２の正面側からは見え難い構造にすることができるため、デザイン性を向上させることができる。
【００３１】
つぎに、図７〜図１１を参照して、本発明の第２実施形態による水栓装置について説明する。
まず、図７は、本発明の第２実施形態による水栓装置の概略正面図である。また、図８は、本発明の第２実施形態による水栓装置の分解斜視図である。さらに、図９は、本発明の第２実施形態による水栓装置において棚部の収納位置に収納された状態の吐水ヘッド部分を拡大した斜視図である。
また、図１０Ａは、図７のＸＡ−ＸＡ線に沿った断面図であり、本発明の第２実施形態による水栓装置の吐水ヘッドが棚部の収納位置に収納された状態を示す。
さらに、図１０Ｂは、図１０Ａと同様な断面図であり、本発明の第２実施形態による水栓装置の吐水ヘッドが引出可能位置に移動された状態を示す。
また、図１０Ｃは、図１０Ａ及び図１０Ｂと同様な断面図であり、本発明の第２実施形態による水栓装置の吐水ヘッドが引出可能位置から引き出された状態を示す。
なお、以下、図７〜図１１に示す本発明の第２実施形態による水栓装置１００において、上述した本発明の第１実施形態による水栓装置１の部分と同一部分については同一の符号を付し、これらの説明については省略する。
【００３２】
まず、図７〜図９に示すように、本発明の第２実施形態による水栓装置１００においては、第１実施形態と同様に、吐水ヘッド保持／解除装置１２０が、収納位置Ｐ１の吐水ヘッド１１４を保持することができると共に、吐水ヘッド１１４の保持状態を解除することもできるようになっているが、吐水ヘッド保持／解除装置１２０の構造が、第１実施形態の水栓装置１の吐水ヘッド保持／解除装置２０の構造と異なっている。
具体的には、図７〜図９に示すように、吐水ヘッド保持／解除装置１２０は、支持部材１３０、一対の板ばね１３２，１３２、ラッチ機構部（プッシュ式ラッチ装置１３４）、及び、固定部材１４４を備えている。
【００３３】
まず、吐水ヘッド１１４の後方側の固定部材１４４は、第１実施形態の水栓装置１の固定部材４４と同様に、壁面６の開口６ａに挿入された状態で固定されており、この固定部材１４４の内周側でホース２４を摺動可能に保持している。
【００３４】
つぎに、図８〜図１０Ｃに示すように、支持部材１３０は、支持本体部１３０ａ、一対のアーム部１３０ｂ，１３０ｂ、押圧操作部１３０ｃ、ラッチ係合用の係合突起１３０ｄ、及び、一対のばね荷重受け用のガイド用突起１３０ｅを備えている。
まず、図８〜図１０Ｃに示すように、支持部材１３０の支持本体部１３０ａは、吐水ヘッド１１４を常時下側から支持可能に、正面視で概ね半円弧に形成されている。
また、図８〜図１０Ｃに示すように、支持部材１３０の一対のアーム部１３０ｂ，１３０ｂは、支持本体部１３０ａの後端部の左右両側から上方に延びるように設けられている。各アーム部１３０ｂ，１３０ｂの先端部が、固定部材１４４に対して水平左右方向に延びる回動中心軸線Ａ１を中心に回動可能に取り付けられている。
さらに、図８〜図１０Ｃに示すように、支持部材１３０の両アーム部１３０ｂ，１３０ｂが回動中心軸線Ａ１を中心に回動することにより、吐水ヘッド１１４が支持部材１３０の支持本体部１３０ａによって下側から支持された状態で収納位置Ｐ１（図１０Ａ参照）から引出可能位置Ｐ２（図１０Ｂ参照）まで下方に傾斜可能となっている。
また、図８〜図１０Ｃに示すように、支持部材１３０の押圧操作部１３０ｃは、支持本体部１３０ａの前端且つ上端における正面側から見て左側に設けられている。この押圧操作部１３０ｃの下面は、下方から上方への押圧操作が手動で操作可能となっている。
【００３５】
つぎに、図８〜図１０Ｃに示すように、支持部材１３０のラッチ係合用の係合突起１３０ｄは、押圧操作部１３０ｃの上面の一部に上方に突出するように設けられている。
また、図１０Ａに示すように、押圧操作部１３０ｃが押圧操作される前の初期位置Ｑ１においては、ラッチ係合用の係合突起１３０ｄは、その上方の棚部１１２の内部に設けられたラッチ機構部（詳細は後述するプッシュ式ラッチ装置１３４）と係合した状態となっている。
一方、ラッチ係合用の係合突起１３０ｄは、図１０Ａに示すように、初期位置Ｑ１の押圧操作部１３０ｃが押圧力Ｆ１０１で押圧操作された後、図１０Ｂ及び図１０Ｃに示すように、プッシュ式ラッチ装置１３４との係合が解除されるようになっている。
これにより、ラッチ係合用の係合突起１３０ｄは、支持部材１３０が初期位置Ｑ１から解除位置Ｑ２まで移動すると、支持本体部１３０ａ及び押圧操作部１３０ｃと一体的に初期位置Ｑ１から解除位置Ｑ２に移動することができるようになっている。
【００３６】
つぎに、図８〜図１０Ｃに示すように、支持部材１３０の一対の回動制限用のガイド突起１３０ｅ，１３０ｅは、支持本体部１３０ａの後端部に左右両側から外側に突出するように設けられている。
また、図８〜図１０Ｃに示すように、各回動制限用のガイド突起１３０ｅ，１３０ｅの近傍の棚部１１２の収納スペースＳの両側側面１１２ａには、概ね四分円弧状に形成された一対の回動制限用のガイド溝１４６，１４６が設けられており、各ガイド溝１４６，１４６内に各回動制限用のガイド突起１３０ｅ，１３０ｅが常時挿入された状態となっている。
これにより、両ガイド突起１３０ｅ，１３０ｅは、支持部材１３０が初期位置Ｑ１から解除位置Ｑ２まで移動すると、支持本体部１３０ａと一体的にガイド溝１４６に沿って初期位置Ｑ１から解除位置Ｑ２に移動することができるようになっている。
そして、吐水ヘッド保持／解除装置１２０の支持部材１３０における回動制限用のガイド突起１３０ｅ，１３０ｅ、及び、これらと対応する棚部１１２側の回動制限用のガイド溝１４６，１４６は、図１０Ｂ及び図１０Ｃに示すように、引出可能位置Ｐ２の吐水ヘッド１１４のさらなる下方への移動を抑制する移動抑制部として機能するようになっている。
【００３７】
つぎに、図８及び図１０Ａ〜図１０Ｃに示すように、吐水ヘッド保持／解除装置１２０の一対の板ばね１３２，１３２は、棚部１１２の収納スペースＳの両側側面１１２ａの各ガイド溝１４６，１４６の近傍に取り付けられている。
図１０Ａ〜図１０Ｃに示すように、各板ばね１３２，１３２は、側面視で後端部で屈曲して前方側が開いた概ねＶ字形形状である。
また、図１０Ａに示すように、支持部材１３０が初期位置Ｑ１にある状態では、各板ばね１３２，１３２の下端且つ前方の一部が各回動制限用のガイド突起１３０ｅ，１３０ｅの上端に接触するように取り付けられている。
これにより、図１０Ａに示すように、初期位置Ｑ１の各板ばね１３２，１３２は、各回動制限用のガイド突起１３０ｅ，１３０ｅに対して下方のばね荷重（下方向の付勢力Ｆ１０２のたわみ荷重）が予め作用するように設定されている。
また、図１０Ａに示すように、初期位置Ｑ１の支持部材１３０の押圧操作部１３０ｃについて押圧力Ｆ１０１で上方に押圧操作した後、図１０Ｂ及び図１０Ｃに示すように、各板ばね１３２，１３２の付勢力Ｆ１０２が解放されるようになっている（Ｆ１０２＝０）。
【００３８】
つぎに、図１１は、本発明の第２実施形態による水栓装置におけるラッチ機構部を拡大した拡大図である。
図８〜図１１に示すように、支持部材１３０における押圧操作部１３０ｃの上面のラッチ係合用の係合突起１３０ｄと上下方向に対向する棚部１１２の内部の下面１１２ｂに固定されている。
図１１に示すように、プッシュ式ラッチ装置１３４は、固定部１３４ａ、ラッチ本体部１３４ｂ、及び、一対の把持アーム１３４ｃ，１３４ｃを備えている。
まず、図１１に示すように、プッシュ式ラッチ装置１３４の固定部１３４ａは、概ね円筒状に形成されており、棚部１１２の内部の下面１１２ｂに対して下側から取り付けられた状態で固定されている。
また、図１１に示すように、プッシュ式ラッチ装置１３４のラッチ本体部１３４ｂは、プッシュ式ラッチ装置１３４の内部において、固定部１３４ａに対して上下方向に摺動可能に設けられている。
さらに、図１１に示すように、プッシュ式ラッチ装置１３４の一対の把持アーム１３４ｃ，１３４ｃは、その上端部がラッチ本体部１３４ｂに回動可能に取り付けられている。  ここで、図１１に実線で示す初期位置Ｑ１の両把持アーム１３４ｃ，１３４ｃは、プッシュ式ラッチ装置１３４の内部機構（図示せず）等による付勢力により支持部材１３０のラッチ係合用の係合突起１３０ｄを把持した状態となっており、両把持アーム１３４ｃ，１３４ｃの互いの間隔が狭められて閉じた状態Ｃ１となっている。
また、図１０Ａ及び図１１に示すように、プッシュ式ラッチ装置１３４の初期位置Ｑ１においては、ラッチ係合用の係合突起１３０ｄの上端が、棚部１１２の内部の下面１１２ｂよりも上方に位置するラッチ本体部１３４ｂの下端に接触して係合した状態となっている。
【００３９】
つぎに、図１０Ａ及び図１１に示すように、プッシュ式ラッチ装置１３４の内部においては、ラッチ本体部１３４ｂを下向きの付勢力Ｆ１０３で付勢するばね等の付勢部材（図示せず）が設けられている。これにより、初期位置Ｑ１のラッチ本体部１３４ｂにおいては、この付勢部材（図示せず）の下向きの付勢力Ｆ１０３よりも大きい上向きの力がラッチ本体部１３４ｂに作用しない限り、プッシュ式ラッチ装置１３４の内部で固定部１３４ａに対して係止された状態（係止状態）となっている。
また、図１０Ａ及び図１１に示すように、初期位置Ｑ１の支持部材１３０の押圧操作部１３０ｃが、下向きの付勢力Ｆ１０３を上回る上向きの押圧力Ｆ１０１（＞Ｆ１０３）で押圧操作されると、ラッチ本体部１３４ｂがラッチ係合用の係合突起１３０ｄの上昇により一旦所定高さまで上方に摺動した後、プッシュ式ラッチ装置１３４の内部で固定部１３４ａに対する係止状態が解除されるようになっている。
【００４０】
そして、図１０Ｂ及び図１１に示すように、ラッチ本体部１３４ｂは、固定部１３４ａに対する係止状態が解除されると下方に摺動するようになっている。そして、ラッチ本体部１３４ｂの下端が固定部１３４ａの下端よりも下方の位置に到達すると、図１１に鎖線で示す把持アーム１３４ｃ，１３４ｃのように、両把持アーム１３４ｃ，１３４ｃの互いの間隔が広げられて非把持状態Ｃ２となる。これにより、ラッチ係合用の係合突起１３０ｄは、両把持アーム１３４ｃ，１３４ｃの把持から解放された状態（係合解除状態）となるようになっている。
【００４１】
そして、図１０Ｂ及び図１０Ｃに示すように、支持部材１３０の係合解除状態のラッチ係合用の係合突起１３０ｄにおいては、吐水ヘッド１１４から支持本体部１３０ａに作用する下向きの荷重（吐水ヘッド１１３の自重Ｆ１０４）により支持本体部１３０ａと一体的に初期位置Ｑ１から解除位置Ｑ２まで移動するようになっている。
このとき、図１０Ｂ及び図１０Ｃに示すように、支持部材１３０の各ガイド突起１３０ｅ，１３０ｅについても、支持本体部１３０ａと一体的に初期位置Ｑ１から解除位置Ｑ２までガイド溝１４６に沿って下方且つ後方側へ移動するようになっている。
これらの結果、吐水ヘッド１１４については、図１０Ａに示す収納位置Ｐ１から図１０Ｂに示す引出可能位置Ｐ２まで移動することができるようになって。これにより、図１０Ｃに示すように、引出可能位置Ｐ２の吐水ヘッド１１４は、棚部１１２に干渉することなく、前方への引出操作が可能となるようになっている。
【００４２】
つぎに、図７〜図１１を参照して、上述した本発明の第２実施形態による水栓装置１００における作用について説明する。
まず、本発明の第２実施形態による水栓装置１００によれば、図１０Ａに示すように、収納部（収納スペースＳ）の収納位置Ｐ１に収納された吐水ヘッド１１４を壁面６から引き出す前の準備を行う際には、吐水ヘッド保持／解除装置１２０の支持部材１３０の押圧操作部１３０ｃについて、上向きの押圧力Ｆ１０１による押圧操作を手動で行うことにより、吐水ヘッド１１４を収納位置Ｐ１からその下方の引出可能位置Ｐ２（図１０Ｂ、図１０Ｃ参照）まで移動させることができる。
したがって、図１０Ａに示すように、吐水ヘッド１１４が収納スペースＳの収納位置Ｐ１に収納された状態では、正面側から見た棚部１１２に対する吐水ヘッドの突出量Ｈ１０１［ｍｍ］を抑制することができるため、デザイン性を向上させることができる。
また、収納位置Ｐ１の吐水ヘッド１１４を壁面６から引き出す操作を行う際には、図１０Ｂに示すように、吐水ヘッド１１４を引出可能位置Ｐ２に移動させて、正面側から見た棚部１１２に対する吐水ヘッド１１４の突出量Ｈ１０２［ｍｍ］（＞Ｈ１０１）を大きくすることができるため、引き出し操作時の吐水ヘッド１１４を掴み易くすることができる。
したがって、図１０Ｃに示すように、引き出し操作時の吐水ヘッド１１４を引出可能位置Ｐ２から引き出す際には、吐水ヘッド１１４が棚部１１２に接触する等の干渉を抑制することができると共に、吐水ヘッド１１４をスムーズに安定して引き出すことができるため、吐水ヘッド１１４の引き出し時の操作性を向上させることができる。
これらの結果、デザイン性と操作性とを両立させることができる水栓装置１００を提供することができる。
【００４３】
また、本実施形態による水栓装置１００によれば、吐水ヘッド保持／解除装置１２０の支持部材１３０及びプッシュ式ラッチ装置１３４が少なくとも収納位置Ｐ１の吐水ヘッド１１４を鉛直方向に保持しているため、収納位置Ｐ１の吐水ヘッド１１４は、吐水ヘッド保持／解除装置１２０による吐水ヘッド１１４の保持が押圧操作部１３０ｃの押圧操作により解除されると、図１０Ｂに示すように、吐水ヘッド１１４から支持本体部１３０ａに作用する下向きの荷重（吐水ヘッド１１３の自重Ｆ１０４）により、支持部材１３０が初期位置Ｑ１（図１０Ａ参照）から下方の解除位置Ｑ２（図１０Ｂ参照）まで移動して、吐水ヘッド１１４が支持部材１３０と共に下方の引出可能位置Ｐ２（図１０Ｂ参照）まで移動することができる。
したがって、収納位置Ｐ１の吐水ヘッド１１４を引出可能位置Ｐ２まで移動させる自重以外の手段や特別な機構を設ける必要がないため、収納スペースＳの収納位置Ｐ１に収納された吐水ヘッド１１４を壁面６から引き出す前の準備の際に、簡易な構造によって吐水ヘッド１１４を収納位置Ｐ１から引出可能位置Ｐ２まで容易に移動させることができ、引き出し操作時の吐水ヘッド１１４を掴み易くすることもできる。
さらに、本発明の第２実施形態による水栓装置１００によれば、吐水ヘッド保持／解除装置１２０の支持部材１３０における回動制限用のガイド突起１３０ｅ，１３０ｅ、及び、これらと対応する棚部１１２側の回動制限用のガイド溝１４６，１４６は、図１０Ｂ及び図１０Ｃに示すように、引出可能位置Ｐ２の吐水ヘッド１１４のさらなる下方への移動を抑制する移動抑制部として機能している。これにより、吐水ヘッド１１４が自重Ｆ１０４により引出可能位置Ｐ２よりも下方に過度に移動しすぎることを抑制することができる。
したがって、吐水ヘッド１１４が自重Ｆ１０４により引出可能位置Ｐ２よりも下方に過度に移動してボウル４に衝突してしまう事態を抑制することができる。これにより、吐水ヘッド１１４とボウル４とが互いに衝突することにより少なくともいずれか一方が破損してしまうリスクを低減させることができる。
【００４４】
さらに、本実施形態による水栓装置１００によれば、吐水ヘッド保持／解除装置１２０による吐水ヘッド１１４の保持を解除操作する解除操作部として、図７〜図１０Ｃに示すように、吐水ヘッド１１４の左右方向の一方の側面（正面側から見て左側面）の近傍に、支持部材１３０の押圧操作部１３０ｃが設けられており、この押圧操作部１３０ｃのラッチ係合用の係合突起１３０ｄの上方の棚部１１２の内部において、プッシュ式ラッチ装置１３４が設けられている。
これにより、収納位置Ｐ１の吐水ヘッド１１４を壁面６から引き出す前の準備を行う際には、図１０Ａ及び図１１に示すように、吐水ヘッド保持／解除装置１２０の支持部材１３０の押圧操作部１３０ｃを上向きの押圧力Ｆ１０１で上方に押圧操作することにより、プッシュ式ラッチ装置１３４の両把持アーム１３４ｃ，１３４ｃとラッチ係合用の係合突起１３０ｄとの係合を容易に解除することができる。
これにより、収納位置Ｐ１の吐水ヘッド１１４を引出可能位置Ｐ２に容易に移動させることができるため、吐水ヘッド保持／解除装置１２０の押圧操作部１３０ｃとプッシュ式ラッチ装置１３４との解除操作に関する操作性を向上させることができる。
また、収納位置Ｐ１の吐水ヘッド１１４の上方にプッシュ式ラッチ装置１３４が設けられた場合に比べて、吐水ヘッド１１４や棚部１１２の上下方向の厚みを抑制することができるため、水栓装置１００の全体の厚みも抑制することができ、デザイン性を向上させることができる。
【００４５】
つぎに、図１２及び図１３を参照して、本発明の第３実施形態による水栓装置について説明する。
図１２は、本発明の第３実施形態による水栓装置の中央側面断面図であり、吐水ヘッドが棚部の収納位置に収納された状態を示す。また、図１３は、本発明の第３実施形態による水栓装置の中央側面断面図であり、吐水ヘッドが引出可能位置に移動された状態を示す。
ここで、図１２及び図１３に示す本発明の第３実施形態による水栓装置２００において、上述した本発明の第１及び第２実施形態による水栓装置１，１００と同一部分については同一の符号を付し、これらの説明については省略する。
【００４６】
図１２及び図１３に示すように、本発明の第３実施形態による水栓装置２００においては、棚部２１２の収納部（収納スペースＳ）内の天面２１２ａにおいて、吐水ヘッド保持／解除装置及び解除操作部として、第２実施形態の水栓装置１００のプッシュ式ラッチ装置１３４と同様なプッシュ式ラッチ装置２３４が設けられている。
また、図１２及び図１３に示すように、収納位置Ｐ１の吐水ヘッド２１４の上端面の一部には、その上方のプッシュ式ラッチ装置２３４の第１係合部２３４ａと係合解除可能に係合する第２係合部（ラッチ係合用の係合突起２４８）が設けられている。
【００４７】
さらに、本発明の第３実施形態による水栓装置２００においては、図１２及び図１３に示すように、吐水ヘッド２１４の後方側の固定部材２４４が、壁面６の開口６ａに挿入された状態で固定されており、この固定部材２４４の内周側でホース２４を摺動可能に保持している。
また、図１２及び図１３に示すように、吐水ヘッド２１４の後端は、支持部材２３０によって支持されている。この支持部材２３０は、固定部材２４４に対して水平左右方向延びる回動中心軸線Ａ１を中心に初期位置Ｑ１から解除位置Ｑ２まで回動可能に連結されている。
ここで、支持部材２３０やその周辺の棚部２３４においては、上述した本発明の第２実施形態の水栓装置１００の回動制限用のガイド突起１３０ｅ，１３０ｅや回動制限用のガイド溝１４６，１４６と同様に、図１３に示す引出可能位置Ｐ２の吐水ヘッド２１４のさらなる下方への移動を抑制する移動抑制部（図示せず）が設けられている。
これらにより、図１２に示す収納位置Ｐ１の吐水ヘッド２１４を壁面６から引き出す前の準備として、吐水ヘッド２１４自体について上向きの押圧力Ｆ２０１で下側から手動で押圧操作することにより、図１２に示すプッシュ式ラッチ装置２３４の第１係合部２３４ａと吐水ヘッド２１４の係合突起２４８との互いの係合が解除されるようになっている。  そして、図１３に示すように、吐水ヘッド２１４がその自重Ｆ２０２により収納位置Ｐ１からその下方の引出可能位置Ｐ２まで移動することができ、その後、引出操作力Ｆ２０３で前方への引出操作が可能となっている。
【００４８】
なお、本実施形態では、プッシュ式ラッチ装置２３４の第１係合部２３４ａを雌側とし、吐水ヘッド２３４の第２係合部（ラッチ係合用の係合突起２４８）を雄側とする形態について説明するが、プッシュ式ラッチ装置２３４の第１係合部２３４ａを雄側とし、吐水ヘッド２３４の第２係合部を雌側としてもよい。
【００４９】
上述した本発明の第３実施形態による水栓装置２００によれば、収納位置Ｐ１の吐水ヘッド２１４を壁面６から引き出す前の準備を行う際には、吐水ヘッド２１４自体を上向きの押圧力Ｆ２０１で下側から手動で押圧操作することにより、プッシュ式ラッチ装置２３４の第１係合部２３４ａと吐水ヘッド２１４の係合突起２４８との互いの係合を容易に解除することができる。
これにより、図１３に示すように、吐水ヘッド２１４がその自重Ｆ２０２により収納位置Ｐ１からその下方の引出可能位置Ｐ２まで移動することができ、その後、引出操作力Ｆ２０３で前方への引出操作が可能となるため、操作性を向上させることができる。
また、棚部２１２や吐水ヘッド２１４に対して、プッシュ式ラッチ装置２３４やラッチ係合用の係合突起２４８以外の解除操作部を別途に設ける必要がなく、水栓装置２００の全体の構造を簡易化することができるため、デザイン性を向上させることができる。
【符号の説明】
【００５０】
１        本発明の第１実施形態による水栓装置
２        洗面化粧台
４        ボウル
６        壁面
６ａ      壁面の開口
８        下部キャビネット
１０        上部キャビネット
１２        棚部
１４        吐水ヘッド
１６        操作ハンドル
１８        タッチスイッチ
１８ａ      タッチスイッチ
１８ｂ      タッチスイッチ
１８ｃ      タッチスイッチ
２０        吐水ヘッド保持／解除装置（保持装置、解除操作部）
２２        吐水口
２４        給水用のホース
２６        流調・温調バルブ
２８        人体検知センサ
３０        支持部材（保持装置、解除操作部）
３２        圧縮コイルばね
３４        押圧操作部（解除操作部の操作入力部）
３６        支持部材の係止用の鉤爪部（解除操作部の係止部）
３８        支持部材の係止用の鉤爪部（解除操作部の係止部）
４０        吐水ヘッドの係止受け部
４２        吐水ヘッドの係止受け部
４４        固定部材（移動抑制部）
４４ａ      ホースガイド面
１００        本発明の第２実施形態による水栓装置
１１２        棚部
１１２ａ      棚部の内部の収納スペースＳ１の側面
１１２ｂ      ラッチ係合用の係合突起と上下方向に対向する棚部の内部の下面
１１４        吐水ヘッド
１２０        吐水ヘッド保持／解除装置（保持装置、解除操作部）
１３０        支持部材（保持装置、解除操作部）
１３０ａ      支持本体部
１３０ｂ      アーム部
１３０ｃ      押圧操作部（解除操作部）
１３０ｄ      ラッチ係合用の係合突起（支持部材の係合部）
１３０ｅ      回動制限用のガイド突起
１３２        板ばね
１３４        プッシュ式ラッチ装置（解除操作部、ラッチ機構部）
１３４ａ      固定部
１３４ｂ      ラッチ本体部
１３４ｃ      把持アーム
１４４        固定部材
１４６        回動制限用のガイド溝
２００        本発明の第３実施形態による水栓装置
２１２        棚部
２１２ａ      棚部の収納スペース内の天面
２１４        吐水ヘッド
２３４        プッシュ式ラッチ装置（吐水ヘッド保持／解除装置、解除操作部、ラッチ機構部）
２３４ａ      第１係合部
２４４        固定部材
２４８        ラッチ係合用の係合突起（第２係合部）
Ａ１      回動中心軸線
Ｃ１      把持状態
Ｃ２      非把持状態
Ｆ１      付勢力
Ｆ２      押圧力
Ｆ３      吐水ヘッドの自重
Ｆ１０１  押圧力
Ｆ１０２  付勢力
Ｆ１０３  付勢力
Ｆ１０４  吐水ヘッドの自重
Ｆ２０１  押圧力
Ｆ２０２  吐水ヘッドの自重
Ｆ２０３  引出力
Ｈ１      収納位置の吐水ヘッドの突出量
Ｈ２      引出可能位置の吐水ヘッドの突出量
Ｈ１０１  収納位置の吐水ヘッドの突出量
Ｈ１０２  引出可能位置の吐水ヘッドの突出量
Ｌ        左方向
Ｒ        右方向
Ｓ        収納スペース（収納部）
Ｐ１      収納位置
Ｐ２      引出可能位置
Ｑ１      押圧操作部の初期位置
Ｑ２      押圧操作部の解除位置
【図１】
2019148062.tif 000003
【図２】
2019148062.tif 000004
【図３】
2019148062.tif 000005
【図４】
2019148062.tif 000006
【図５Ａ】
2019148062.tif 000007
【図５Ｂ】
2019148062.tif 000008
【図６】
2019148062.tif 000009
【図７】
2019148062.tif 000010
【図８】
2019148062.tif 000011
【図９】
2019148062.tif 000012
【図１０Ａ】
2019148062.tif 000013
【図１０Ｂ】
2019148062.tif 000014
【図１０Ｃ】
2019148062.tif 000015
【図１１】
2019148062.tif 000016
【図１２】
2019148062.tif 000017
【図１３】
2019148062.tif 000018
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ボウルよりも上方に立ち上がる壁面に設けられる水栓装置であって、
洗浄水を吐水する吐水口が形成され、上記壁面から引き出し可能な吐水ヘッドと、
一端が上記壁面の裏側で給水源に接続されていると共に、他端が上記壁面の開口を介して上記吐水ヘッドに接続されて上記吐水ヘッドと共に引き出し可能な給水用のホースと、  上記壁面から前方に突出して設けられた棚部と、
上記棚部内に設けられ、上記吐水ヘッドの上方及び前方の少なくとも一部を覆うように上記吐水ヘッドを収納する収納部と、
上記吐水ヘッドを上記収納部に収納された収納位置で保持可能な保持装置と、
上記保持装置による上記吐水ヘッドの保持を解除操作する解除操作部と、を有し、
上記吐水ヘッドは、上記収納位置の吐水ヘッドを上記壁面から引き出す前の準備として、上記解除操作部の操作により、上記収納部の収納位置からその下方の引き出し可能な位置まで移動可能であることを特徴とする水栓装置。
【請求項２】
上記保持装置は、少なくとも上記収納位置の上記吐水ヘッドを鉛直方向に保持するものであり、さらに、上記引き出し可能な位置の上記吐水ヘッドの下方への移動を抑制する移動抑制部を備えている請求項１記載の水栓装置。
【請求項３】
上記保持装置は、上記吐水ヘッドを上記収納位置から上記引き出し可能位置まで下方に傾斜可能に支持する支持部材を備え、
上記解除操作部は、上記支持部材に設けられた係合部及び押圧操作部と、上記吐水ヘッドの左右方向の一方又は他方の側面の近傍に設けられて上記支持部材の係合部と係合解除可能に係合するラッチ機構部と、を備えており、上記収納位置の吐水ヘッドを上記壁面から引き出す前の準備として、上記支持部材の押圧操作部を上方に押圧操作することにより、上記ラッチ機構部と上記支持部材の係合部との係合が解除されるように構成されている請求項１又は２に記載の水栓装置。
【請求項４】
上記保持装置は、上記棚部に対してほぼ水平方向に摺動可能に設けられて上記棚部の側面側の一端部から上記吐水ヘッド付近の他端部まで延びて上記吐水ヘッドを支持する支持部材を備え、
上記解除操作部は、上記支持部材の一端部に設けられて上記棚部の側方からの上記支持部材の摺動操作を可能にする操作入力部と、上記支持部材の他端部に設けられて上記吐水ヘッドを係止解除可能に係止する係止部と、を備えており、上記収納位置の吐水ヘッドを上記壁面から引き出す前の準備として、上記操作入力部により上記棚部の側方から上記支持部材が摺動操作されると、上記収納位置の上記吐水ヘッドと上記係止部との係止が解除されるように構成されている請求項１又は２に記載の水栓装置。
【請求項５】
上記解除操作部は、上記吐水ヘッドの上方又はその近傍の上記棚部のいずれかの一方に設けられた第１係合部を含むラッチ機構部を備えており、
このラッチ機構部の第１係合部は、上記吐水ヘッドの上方又はその近傍の上記棚部のいずれかの他方に設けられた第２係合部に係合解除可能であり、上記収納位置の吐水ヘッドを上記壁面から引き出す前の準備として、上記吐水ヘッドを介して上記ラッチ機構部を上方に押圧操作することにより上記第１係合部と上記第２係合部との係合が解除可能である請求項１又は２に記載の水栓装置。
【請求項６】
請求項１乃至５の何れか１項に記載の水栓装置と、この水栓装置の吐水ヘッドから吐水されるボウルと、を備えた洗面化粧台。
【手続補正２】
【補正対象書類名】明細書
【補正対象項目名】０００８
【補正方法】変更
【補正の内容】
【０００８】
本発明において、好ましくは、上記保持装置は、上記吐水ヘッドを上記収納位置から上記引き出し可能位置まで下方に傾斜可能に支持する支持部材を備え、上記解除操作部は、上記支持部材に設けられた係合部及び押圧操作部と、上記吐水ヘッドの左右方向の一方又は他方の側面の近傍に設けられて上記支持部材の係合部と係合解除可能に係合するラッチ機構部と、を備えており、上記収納位置の吐水ヘッドを上記壁面から引き出す前の準備として、上記支持部材の押圧操作部を上方に押圧操作することにより、上記ラッチ機構部と上記支持部材の係合部との係合が解除されるように構成されている。
このように構成された本発明においては、保持装置による吐水ヘッドの保持を解除操作する解除操作部として、吐水ヘッドの左右方向の一方又は他方の側面の近傍にラッチ機構部が設けられているため、収納位置の吐水ヘッドを壁面から引き出す前の準備を行う際には、保持装置の支持部材を上方に押圧操作することによりラッチ機構部と支持部材の係合部との係合を容易に解除することができる。
これにより、収納位置の吐水ヘッドを引き出し可能な位置に容易に移動させることができるため、解除操作部の操作性を向上させることができる。
また、収納位置の吐水ヘッドの上方にラッチ機構部が設けられた場合に比べて、吐水ヘッドや棚部の上下方向の厚みを抑制することができるため、水栓装置全体の厚みも抑制することができ、デザイン性を向上させることができる。